(57)【要約】【課題】  本発明の目的は、常開型電磁弁の組み立て工程数を減らすことにある。【解決手段】  常開型電磁弁は、流通孔６４を塞ぐための弁体６０と、第１の端部５２で弁体６０を受けるリテーナ５０と、リテーナ５０を収容するガイド孔４０を有する固定コア３０と、を含む。リテーナ５０は、軸方向に貫通して第１及び第２の端部５２，５４にそれぞれ第１及び第２の開口５３，５５を有する縦孔５１と、第１の端部５２に近い位置で縦孔５１に連通するように側面に開口する第１の横孔５７と、第２の端部５４に近い位置で縦孔５１に連通するように側面に開口する第２の横孔５９と、を有する。縦孔５１並びに第１及び第２の横孔５７，５９によってリテーナ５０を貫通する流体の流出入が許容される。リテーナ５０の外形は、軸方向の中心で軸方向に直交する対称軸に関して、線対称の形状をなしている。【選択図】      図１
2006063994.tif 000002
【特許請求の範囲】
【請求項１】
液圧回路の流路の一部になるための流通孔を有する弁座と、
前記流通孔を塞ぐための弁体と、
軸方向の両側に第１及び第２の端部を有し、前記第１の端部に前記弁体が固設されたリテーナと、
前記リテーナを、前記軸方向に沿って移動できるように収容するガイド孔を有する固定コアと、
前記リテーナの前記第２の端部及び前記固定コアに対向し、前記リテーナの前記軸方向に沿って移動するようガイドされた可動コアと、
前記リテーナの前記軸方向であって前記弁体が前記弁座から離れる方向への第１の力を前記リテーナに加える弾性体と、
電流が流れることで磁場を発生させるコイルであって、磁気誘導によって前記可動コア及び前記固定コア間に電磁吸引力を発生させて、前記第１の力に抗する第２の力を、前記可動コアを介して前記リテーナに加えるとともに前記リテーナを介して前記弁体に加えるためのコイルと、
を含み、
前記リテーナは、前記軸方向に貫通して前記第１及び第２の端部にそれぞれ第１及び第２の開口を有する縦孔と、前記軸方向の中心よりも前記第１の端部に近い位置で前記縦孔に連通するように側面に開口する第１の横孔と、前記軸方向の中心よりも前記第２の端部に近い位置で前記縦孔に連通するように側面に開口する第２の横孔と、を有し、
前記縦孔並びに前記第１及び第２の横孔によって前記リテーナを貫通する流体の流出入が許容され、
前記第１の開口及び前記第２の開口は、前記弁体を固設可能な形状を有し、前記第１の開口に前記弁体が固設されていることを特徴とする常開型電磁弁。
【請求項２】
請求項１記載の常開型電磁弁において、
前記リテーナの外形は、前記軸方向の中心で前記軸方向に直交する対称軸に関して、線対称の形状をなしている常開型電磁弁。
【請求項３】
請求項１又は請求項２記載の常開型電磁弁において、
前記ガイド孔は、前記リテーナの中間部が位置する中間領域と、前記リテーナの前記第１の端部が配置されるとともに前記中間領域よりも径が大きい第１の大径領域と、前記リテーナの前記第２の端部が配置されるとともに前記中間領域よりも径が大きい第２の大径領域と、を有し、
前記第１の大径領域は、前記リテーナの位置にかかわらず、前記第１の横孔と連通するとともに、前記第１及び第２の端部を入れ替えて前記リテーナが配置されても前記第２の横孔と連通する深さを有し、
前記第２の大径領域は、前記リテーナの位置にかかわらず、前記第２の横孔と連通するとともに、前記第１及び第２の端部を入れ替えて前記リテーナが配置されても前記第１の横孔と連通する深さを有する常開型電磁弁。
【請求項４】
請求項１から請求項３のいずれか１つに記載の常開型電磁弁において、
前記第１及び第２の横孔は、前記対称軸に関して、線対称の位置に線対称の形状で形成されてなる常開型電磁弁。
【請求項５】
請求項１から請求項４のいずれか１つに記載の常開型電磁弁において、
前記弁体は、軸方向の両側に第１及び第２の部分を有し、前記軸方向の中心で前記軸方向に直交する対称軸に関して線対称の形状をなし、
前記第１及び第２の部分は、それぞれ、先端に向かって細くなるように形成されたテーパ部と、前記弁体の前記軸方向の中心側で前記テーパ部に連接した基部と、を有し、
前記テーパ部は、前記弁座の前記流通孔を塞ぐ形状であって、かつ、前記リテーナの前記縦孔の前記第１及び第２の開口のいずれにも入り込む形状をなし、
前記基部は、前記リテーナの前記縦孔の前記第１及び第２の開口のいずれにも嵌り合う形状をなしている常開型電磁弁。
【発明の詳細な説明】
【技術分野】
【０００１】
本発明は、常開型電磁弁に関する。
【背景技術】
【０００２】
液圧回路の流路を開閉するために電磁弁を使用することが知られている。電磁弁の一例として、常開型電磁弁は、電気的な制御によって流路を閉じる。詳しくは、コイルに電流を流すと、固定コアと可動コアとの間に電磁吸引力が発生し、可動コアは固定コアの方向に移動する。そのとき、可動コアがリテーナを押しつける。リテーナの先端には弁体が設けられているので、リテーナを介して、弁体が弁座に押しつけられる。こうして、流路が閉じられる。また、リテーナには、常時、可動コアの方向に力が加えられているので、電流を止めると、弁体が弁座から離れて流路が開く。
【０００３】
従来、リテーナは、その一方の端部に弁体を設け、他方の端部に可動コアが接触するようになっているので、両端部の形状が異なっていた。そのため、常開型電磁弁の組み立て工程では、リテーナの方向を合わせることが必要であった。
【特許文献１】特表２００３−５０３２６０号公報
【発明の開示】
【発明が解決しようとする課題】
【０００４】
本発明の目的は、常開型電磁弁の組み立て工程数を減らすことにある。
【課題を解決するための手段】
【０００５】
（１）本発明に係る常開型電磁弁は、液圧回路の流路の一部になるための流通孔を有する弁座と、
前記流通孔を塞ぐための弁体と、
軸方向の両側に第１及び第２の端部を有し、前記第１の端部に前記弁体が固設されたリテーナと、
前記リテーナを、前記軸方向に沿って移動できるように収容するガイド孔を有する固定コアと、
前記リテーナの前記第２の端部及び前記固定コアに対向し、前記リテーナの前記軸方向に沿って移動するようガイドされた可動コアと、
前記リテーナの前記軸方向であって前記弁体が前記弁座から離れる方向への第１の力を前記リテーナに加える弾性体と、
電流が流れることで磁場を発生させるコイルであって、磁気誘導によって前記可動コア及び前記固定コア間に電磁吸引力を発生させて、前記第１の力に抗する第２の力を、前記可動コアを介して前記リテーナに加えるとともに前記リテーナを介して前記弁体に加えるためのコイルと、
を含み、
前記リテーナは、前記軸方向に貫通して前記第１及び第２の端部にそれぞれ第１及び第２の開口を有する縦孔と、前記軸方向の中心よりも前記第１の端部に近い位置で前記縦孔に連通するように側面に開口する第１の横孔と、前記軸方向の中心よりも前記第２の端部に近い位置で前記縦孔に連通するように側面に開口する第２の横孔と、を有し、
前記縦孔並びに前記第１及び第２の横孔によって前記リテーナを貫通する流体の流出入が許容され、
前記第１の開口及び前記第２の開口は、前記弁体を固設可能な形状を有し、前記第１の開口に前記弁体が固設されていることを特徴とする。本発明によれば、リテーナの両端部の何れであっても弁体を組み付けることができて、何れに組み付けたとしても同じように機能するので誤組の心配が無いため、組み付け作業がし易くなり、例えばリテーナの向きを揃えるといった工程数を削減することができる。
（２）この常開型電磁弁において、
前記リテーナの外形は、前記軸方向の中心で前記軸方向に直交する対称軸に関して、線対称の形状をなしていてもよい。これによれば、リテーナは、線対称の形状をなしているので、対称軸を中心としてひっくり返しても同じ形状になる。したがって、弁体をリテーナに取り付ける工程で、リテーナの向きを考慮する必要がないので、組み付け性が良くなり、工程数を削減することができる。
（３）この常開型電磁弁において、
前記ガイド孔は、前記リテーナの中間部が位置する中間領域と、前記リテーナの前記第１の端部が配置されるとともに前記中間領域よりも径が大きい第１の大径領域と、前記リテーナの前記第２の端部が配置されるとともに前記中間領域よりも径が大きい第２の大径領域と、を有し、
前記第１の大径領域は、前記リテーナの位置にかかわらず、前記第１の横孔と連通するとともに、前記第１及び第２の端部を入れ替えて前記リテーナが配置されても前記第２の横孔と連通する深さを有し、
前記第２の大径領域は、前記リテーナの位置にかかわらず、前記第２の横孔と連通するとともに、前記第１及び第２の端部を入れ替えて前記リテーナが配置されても前記第１の横孔と連通する深さを有してもよい。これによれば、リテーナの向きを反対にしても、第１及び第２の大径領域がそれぞれ第２及び第１の横孔と連通する。したがって、第１及び第２の横孔が線対称の位置に形成されていなくても、リテーナの向きにかかわらず、第１及び第２の横孔及び縦孔を介する流体の流れが許容され、リテーナのスムーズな動作が可能になる。
（４）この常開型電磁弁において、
前記第１及び第２の横孔は、前記対称軸に関して、線対称の位置に線対称の形状で形成されていてもよい。
（５）この常開型電磁弁において、
前記弁体は、軸方向の両側に第１及び第２の部分を有し、前記軸方向の中心で前記軸方向に直交する対称軸に関して線対称の形状をなし、
前記第１及び第２の部分は、それぞれ、先端に向かって細くなるように形成されたテーパ部と、前記弁体の前記軸方向の中心側で前記テーパ部に連接した基部と、を有し、
前記テーパ部は、前記弁座の前記流通孔を塞ぐ形状であって、かつ、前記リテーナの前記縦孔の前記第１及び第２の開口のいずれにも入り込む形状をなし、
前記基部は、前記リテーナの前記縦孔の前記第１及び第２の開口のいずれにも嵌り合う形状をなしていてもよい。これによれば、弁体は、線対称の形状をなしているので、対称軸を中心としてひっくり返しても同じ形状になる。したがって、弁体をリテーナに取り付ける際、弁体の向きを考慮する必要がないので、組み付け性が良くなり、工程数を削減することができる。
【発明を実施するための最良の形態】
【０００６】
以下、本発明の実施の形態を、図面を参照して説明する。
【０００７】
図１は、本発明の実施の形態に係る電磁弁を有する液圧制御装置の一部を示す断面図である。図２は、図１に示す電磁弁の一部（リテーナ及び弁体）の分解拡大斜視図である。
【０００８】
液圧制御装置は、液圧回路において液体（例えば油）の圧力を調整（例えば一定の圧力に調圧）するためのものであり、車両用ブレーキに使用される作動液の圧力（ブレーキ圧）を調整するものであってもよい。液圧制御装置は、例えば、車両挙動安定化制御システムや、アンチロックブレーキシステムに応用することができる。
【０００９】
液圧制御装置は、例えばアルミニウムからなる基体１０を有する。基体１０には、液体の第１の流路１１が形成されている。車両用ブレーキでは、第１の流路１１は、ブレーキペダルにより駆動されるマスタシリンダ（図示せず）に接続されてもよい。基体１０には、第２の流路１２が形成されている。車両用ブレーキでは、第２の流路１２は、分岐してキャリパ及びポンプ（図示せず）に接続されてもよい。基体１０には、電磁弁２０のための装着孔１４が形成されている。装着孔１４は、第１及び第２の流路１１，１２に連通している。装着孔１４を介して第１及び第２の流路１１，１２が連通している。
【００１０】
液圧制御装置は、電磁弁２０を有する。電磁弁２０は、第１及び第２の流路１１，１２間で、流路の少なくとも一部を開閉するためのものである。本実施の形態における電磁弁２０は、後述するように、常開型電磁弁である。
【００１１】
電磁弁２０は、固定コア３０を有する。固定コア３０は磁性体（あるいは強磁性体）である。固定コア３０（詳しくはその一部）は、装着孔１４に嵌め込まれ、ストッパ（例えば金属製のＣリング）２２によって抜け止めが図られている。固定コア３０と基体１０（詳しくは装着孔１４の内面）との間には、ガスケット（例えばゴム製のＯリング）２４が設けられて、両者間の液密性が確保され、ブレーキ回路と大気との間がシールされている。ガスケット２４は、装着孔１４において、第１の流路１１よりも装着孔１４の開口近くに配置されている。固定コア３０の、ガスケット２４よりも第１の流路１１に近い部分と装着孔１４の内面との間には液体の流動を許容する隙間が形成されていてもよい。
【００１２】
固定コア３０には、第１の流路１１と連通する連通孔３２が形成されている。連通孔３２の開口は、第１の流路１１の開口と対向していてもよい。固定コア３０の外周面に溝（例えば外周を囲む溝）３４が形成され、溝３４の底面に開口するように連通孔３２が形成されてもよい。連通孔３２は、固定コア３０を貫通する場合には、両側の開口が溝３４の底面に位置してもよい。
【００１３】
第１の流路１１の開口と連通孔３２の開口の間に、フィルタ２６を設けてもよい。フィルタ２６のホルダ２８を、溝３４を覆うように設けて、ホルダ２８と溝３４によって流路を形成してもよい。その場合、第１の流路１１と対向するように形成されたホルダ２８の開口にフィルタ２６が設けられる。ホルダ２８と固定コア３０が密着する（例えば液密性が確保される）一方で、ホルダ２８と装着孔１４の内面は密着しないようになっていて、フィルタ２６（又はホルダ２８）と装着孔１４の内面との間で液体の流動が許容される。
【００１４】
固定コア３０には、第２の流路１２と連通する連通孔（以下、第２の連通孔ともいう。）３６が形成されている。第２の連通孔３６は、連通孔（以下、第１の連通孔ともいう。）３２と連通するように形成されている。第２の連通孔３６には、フィルタ３８が設けられていてもよい。
【００１５】
固定コア３０と装着孔１４の内面との間であって、第２の連通孔３６の開口（第２の流路１２との連通口）と第１の連通孔３２の開口（第１の流路１１との連通孔）との間に、逆止弁３９が設けられていてもよい。こうすることで、固定コア３０と装着孔１４の内面との間の隙間で、液体の一方向（図１では第１の流路１１から第２の流路１２への方向）への流動が許容され、反対方向（図１では第２の流路１２から第１の流路１１への方向）への流動が止められる。
【００１６】
固定コア３０には、リテーナ５０のためのガイド孔４０が形成されている。ガイド孔４０は、連通孔３２，３６と連通しており、第２の連通孔３６と同軸になるように形成されてもよい。ガイド孔４０は、中間領域４２と、中間領域４２よりも径が大きい第１の大径領域４４と、中間領域４２よりも径が大きい第２の大径領域４６と、を有する。なお、「径」とは、ガイド孔４０が、軸に直交する円断面を有する円柱状の空間を形成しているのであれば内径であるが、ガイド孔４０の軸に直交した断面形状が多角形（例えば矩形）であればその対角線の長さである。第１の大径領域４４が連通孔３２，３６と連通しており、第２の大径領域４６が開口している。
【００１７】
ガイド孔４０には、リテーナ５０がその軸方向に移動できるように収容されている。リテーナ５０は非磁性体（あるいは弱磁性体）である。リテーナ５０は、軸方向の両側に第１及び第２の端部５２，５４を有する。第１の端部５２は、ガイド孔４０の第１の大径領域４４に配置されている。第１の端部５２及び第２の端部５４は、何れも弁体６０を固定することができる（又は保持することができる）形状を有しており、そのために凹部が形成されていてもよい。第２の端部５４は、ガイド孔４０の第２の大径領域４６に配置されている。ガイド孔の中間領域４２には、リテーナ５０の中間部５６が位置する。
【００１８】
本実施の形態におけるリテーナ５０には、軸方向に貫通して第１及び第２の端部５２，５４にそれぞれ第１及び第２の開口５３，５５を有する縦孔５１が形成されており、第１及び第２の開口５３，５５の何れにも、弁体６０の端部を嵌合させ固定することができる。第１及び第２の開口５３，５５は、テーパが付けられていてもよい。リテーナ５０には、軸方向の中心よりも第１の端部５２に近い位置で縦孔５１に連通するように側面に開口する少なくとも１つ（図１では複数）の第１の横孔５７が形成されている。リテーナ５０には、軸方向の中心よりも第２の端部５４に近い位置で縦孔５１に連通するように側面に開口する少なくとも１つ（図１では複数）の第２の横孔５９が形成されている。第１の横孔５７が複数の場合及び第２の横孔５９が複数の場合には、各孔をリテーナ５０の軸回りに放射状に形成してもよい。縦孔５１並びに第１及び第２の横孔５７，５９によって、リテーナ５０を貫通する流体の流出入が許容される。また、縦孔５１並びに第１及び第２の横孔５７，５９が形成されていることで、リテーナ５０は軽量化されるので、応答性（反応の良さ）が向上する。
【００１９】
ガイド孔４０の第１の大径領域４４は、リテーナ５０の位置にかかわらず、第１の横孔５７と連通するとともに、第１及び第２の端部５２，５４を入れ替えてリテーナ５０が配置されても第２の横孔５９と連通する深さ（軸方向の幅）を有する。ガイド孔４０の第２の大径領域４６は、リテーナ５０の位置にかかわらず、第２の横孔５９と連通するとともに、第１及び第２の端部５２，５４を入れ替えてリテーナ５０が配置されても第１の横孔５７と連通する深さ（軸方向の幅）を有する。
【００２０】
本実施の形態によれば、リテーナ５０の向きを反対にしても、第１及び第２の大径領域５２，５４がそれぞれ第２及び第１の横孔５９，５７と連通する。したがって、第１及び第２の横孔５７，５９が線対称の位置に形成されていなくても、リテーナ５０の向きにかかわらず、第１及び第２の横孔５７，５９及び縦孔５１を介する流体の流れが許容され、リテーナ５０のスムーズな動作が可能になる。
【００２１】
図２に示すように、本実施の形態におけるリテーナ５０は、直円管状の外形を有し、軸Ａ方向の中心で軸Ａ方向に直交する対称軸Ｓ１に関して、線対称の形状（対称軸Ｓ１回りに１８０度回転させても同じ形になる形状）をなしている。また、第１及び第２の横孔５７，５９は、対称軸Ｓ１に関して、線対称の位置に線対称の形状で形成されている。
【００２２】
本実施の形態によれば、リテーナ５０は、線対称の形状をなしているので、対称軸Ｓ１を中心としてひっくり返しても同じ形状になる。したがって、弁体６０をリテーナ５０に取り付ける工程で、リテーナ５０の向きを考慮する必要がないので、組み付け作業がし易くなり、例えば、リテーナ５０の方向を合わせるといった工程数を削減することができる。リテーナ５０は、例えばパイプ材を所定の長さに切断して横孔の穴あけ加工をするといった簡単で安価な方法で形成することができる。
【００２３】
なお、図１に示す例の変形として、第１及び第２の端部５２，５４の間の中間部５６を、第１及び第２の端部５２，５４よりも細くしてもよいし、リテーナ５０の側面に、第１及び第２の端部５２，５４間を延びるように切り欠き（又は溝）を形成してもよい。ただし、リテーナ５０の側面は、切り欠きを形成しない場合には滑らかな面になっているので、リテーナ５０とガイド孔４０とのクリアランスを、摺動を阻害しない程度まで小さくすることができる。その結果、リテーナ５０の軸とガイド孔４０の軸とのずれを小さくすることができ、電磁弁の性能（例えば、第２の力Ｆ２の精度）を高めることができる。
【００２４】
弁体６０は、その一方の端部がリテーナ５０に保持（又は固定）され、他方の端部が弁座６２に対向するように配置されている。弁座６２は、固定コア３０に対してその位置が固定されているが、弁体６０は、リテーナ５０の移動に伴って固定コア３０に対して相対的に移動（リテーナ５０の移動と同じ方向に移動）できるようになっている。弁座６２には、液圧回路の流路の一部になるための流通孔６４が形成されており、弁体６０は、流通孔６４を塞ぐために流路内に設けられている。なお、液圧回路は、少なくとも、第１の流路１１、第１の連通孔３２、流通孔６４、第２の連通孔３６及び第２の流路１２を通る流路を含み、弁体６０は、流通孔６４よりも第１の連通孔３２側に配置される。
【００２５】
図２に示すように、弁体６０は、軸Ａ方向の両側に第１及び第２の部分６５，６６を有する。弁体６０は、軸Ａ方向の中心で軸Ａ方向に直交する対称軸Ｓ２に関して線対称の形状（対称軸Ｓ２回りに１８０度回転させても同じ形になる形状）をなしている。第１及び第２の部分６５，６６は、それぞれ、先端に向かって細くなるように形成されたテーパ部６７を有する。第１及び第２の部分６５，６６は、それぞれ、弁体６０の軸Ａ方向の中心側でテーパ部６７に連接した基部６８を有する。
【００２６】
テーパ部６７は、弁座６２の流通孔６４を塞ぐ形状であって、かつ、リテーナ５０の縦孔５１の第１及び第２の開口５３，５５のいずれにも入り込む形状をなしている。基部６８は、リテーナ５０の縦孔５１の第１及び第２の開口５３，５５のいずれにも嵌り合う形状（例えば、圧入可能な形状）をなしている。
【００２７】
本実施の形態によれば、弁体６０は、線対称の形状をなしているので、対称軸Ｓ２を中心としてひっくり返しても同じ形状になる。したがって、弁体６０をリテーナに取り付ける際、弁体６０の向きを考慮する必要がないので、組み付け作業がし易くなり、例えば、弁体６０の方向を合わせるといった工程数を削減することができる。
【００２８】
弁体６０と弁座６２との間には弾性体（例えばバネ（詳しくはコイルバネ））７０が配置されている。弁体６０と弁座６２との間で、弾性体７０を圧縮して配置することで、自然長に戻ろうとする力（第１の力Ｆ１）を弁体６０に加えることができる。また、弾性体７０は、弁体６０を介して、リテーナ５０に、第１の端部５２から第２の端部５４の方向（軸方向であって弁体６０が弁座６２から離れる方向）への第１の力Ｆ１を加える。
【００２９】
電磁弁２０は、可動コア８０を有する。可動コア８０は、磁性体（あるいは強磁性体）である。可動コア８０とリテーナ５０は異なる材料で構成されており、本実施の形態では両者は固定されていないが、固定してあってもよい。可動コア８０は、リテーナ５０の第２の端部５４及び固定コア３０に対向し、リテーナ５０の軸方向に沿って移動するようガイドされている。可動コア８０は、その移動方向の一方の端部に凸部８２が形成されている。凸部８２は、ガイド孔４０（第２の大径領域４６）に入り込む大きさである。すなわち、凸部８２は、固定コア３０に対向する部分の内側に形成されている。
【００３０】
可動コア８０の側面（中心点を通る移動軸に交差しない面）には、切り欠き（又は溝）８４が形成されている。切り欠き８４は、固定コア３０及びリテーナ５０との対向面からその反対面に至るように形成されている。
【００３１】
可動コア８０のガイドのためにガイドカバー８８が使用される。ガイドカバー８８は、非磁性体である。ガイドカバー８８は、固定コア３０に、そのガイド孔４０の開口（リテーナ５０の第２の端部５４側の開口）を覆うように固定されている。ガイドカバー８８の内側のスペースが、ガイド孔４０との連通を除いて、密閉されるように、ガイドカバー８８と固定コア３０との液密性を確保してもよい。
【００３２】
電磁弁２０は、導電線からなるコイル９０を有する。コイル９０は、絶縁体（例えば樹脂）からなるボビン９２に巻き付けられていてもよい。コイル９０を電流が流れると磁場が発生する。その磁場内に、磁性体（あるいは強磁性体）からなるヨーク９４を設けて、ヨーク９４を通る効率的な磁気回路を形成することができる。なお、ヨーク９４はコイル９０のカバーを兼ねてもよい。コイル９０により発生する磁場（又は磁気回路）内に、あるいは、ヨーク９４を通して形成される磁気回路内に、可動コア８０（少なくともその一部）及び固定コア３０（少なくともその一部）が配置されている。
【００３３】
本実施の形態に係る電磁弁２０は、上述したように構成されており、以下、その動作及び作用効果を説明する。
【００３４】
電磁弁２０が駆動していない場合（コイル９０に電流が供給されていない場合）には、第２の力Ｆ２が加えられない。一方、第１の力Ｆ１は、弾性体７０によって常に加えられている。第１の力Ｆ１は、弁体６０に対して加えられており、リテーナ５０にも加えられている。第１の力Ｆ１は、弁体６０を弁座６２から離そうとする方向の力である。また、第１の力Ｆ１は、弁体６０が弁座６２から離れるのに必要な大きさになるよう設定されている。このため、常時（電磁弁２０の非駆動時）、流通孔６４が開口する。すなわち、電磁弁２０は、常開型電磁弁である。
【００３５】
流通孔６４が開口すると、第１及び第２の流路１１，１２間が連通する。例えば、車両用のブレーキペダルを踏むと、これに連動するマスタシリンダによって、第１の流路１１から第２の流路１２の方向に液圧が加えられて、第２の流路１２に接続されたキャリパによってブレーキをかけることができる。
【００３６】
電磁弁２０が駆動すると、コイル９０に電流が供給されて、第２の力Ｆ２が加えられる。詳しくは、コイル９０を電流が流れると磁場が発生する。磁場が発生すると、磁気誘導によって可動コア８０及び固定コア３０間に電磁吸引力が発生して、第２の力Ｆ２が可動コア８０を介してリテーナ５０に加えられるとともにリテーナ５０を介して弁体６０に加えられる。第２の力Ｆ２は、第１の力Ｆ１に対向する方向の力であり、第２の力Ｆ２の大きさが第１の力Ｆ１の大きさを超えると、弁体６０を弁座６２の方向に押しつける。こうして、弁体６０によって流通孔６４が塞がれる。
【００３７】
流通孔６４が塞がれた状態で、第１の流路１１での液圧が上昇した場合（例えば図示しないブレーキを踏んだ場合）には、逆止弁３９によって、第１の流路１１から第２の流路１２へ、液圧を伝えることができる。すなわち、ブレーキを更に踏み込んだ場合、その分のブレーキ圧をキャリパ（図示せず）に伝えることができる。
【００３８】
なお、可動コア８０の側面に切り欠き８４が形成されているので、可動コア８０の、リテーナ５０及び固定コア３０との対向面側の液圧とその反対側の液圧との差をなくすことができる。したがって、可動コア８０の移動がスムーズに行われる。
【００３９】
また、リテーナ５０の、第１及び第２の横孔５７，５９及び縦孔５１を介する流体の流れが許容されているので、リテーナ５０のスムーズな動作が可能になる。しかも、リテーナ５０の向きを反対にして弁体６０と組み付けたとしても、第１及び第２の大径領域５２，５４がそれぞれ第２及び第１の横孔５９，５７と連通するので、リテーナ５０のスムーズな動作が維持される。
【００４０】
電磁弁２０を車両挙動安定化制御システムに応用した場合、電磁弁２０の作動によって流通孔６４が閉じられて、第２の流路１２に接続されたポンプ（図示せず）が作動する。そして、第２の流路１２で液圧が上昇し、第２の流路１２に接続されたキャリパ（図示せず）によってブレーキがかけられる。さらに第２の流路１２での液圧が上昇すると、その液圧で弁体６０を弁座６２から離れる方向に移動させて、流通孔６４が開口する。そうすると、第２の流路１２での液圧が下がって、再び、流通孔６４が閉じられる。以上の動作が繰り返されることで、第２の流路１２での液圧が所定の圧力に調整される。これにより、安定した圧力でブレーキをかけることができる。
【００４１】
本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び結果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。さらに、本発明は、実施の形態で説明した技術的事項のいずれかを限定的に除外したものであってもよい。あるいは、本発明は、上述した実施の形態から公知技術を限定的に除外したものであってもよい。
【図面の簡単な説明】
【００４２】
【図１】本発明の実施の形態に係る電磁弁を有する液圧制御装置の一部を示す断面図である。
【図２】図１に示す電磁弁の一部（リテーナ及び弁体）の分解拡大斜視図である。
【符号の説明】
【００４３】
１０…基体  １１…第１の流路  １２…第２の流路  １４…装着孔  ２０…電磁弁  ２２…ストッパ  ２４…ガスケット  ２６…フィルタ  ２８…ホルダ  ３０…固定コア  ３２…連通孔  ３４…溝  ３６…連通孔  ３８…フィルタ  ３９…逆止弁  ４０…ガイド孔  ４２…中間領域  ４４…第１の大径領域  ４６…第２の大径領域  ５０…リテーナ  ５１…縦孔  ５２…第１の端部  ５３…第１の開口  ５４…第２の端部  ５５…第２の開口  ５６…中間部  ５７…第１の横孔  ５９…第２の横孔  ６０…弁体  ６２…弁座  ６４…流通孔  ６５…第１の部分  ６６…第２の部分  ６７…テーパ部  ６８…基部  ７０…弾性体  ８０…可動コア  ８２…凸部  ８４…切り欠き  ８８…ガイドカバー  ９０…コイル  ９２…ボビン  ９４…ヨーク
【図１】
2006063994.tif 000003
【図２】
2006063994.tif 000004